(57)【特許請求の範囲】
【請求項１】
水、水溶性染料、高沸点有機溶媒及び炭素数が１４〜２０であり、１個スルホン化したパラフィンスルホン酸を含有することを特徴とするインクジェット記録用インク。
【請求項２】
インク全重量に対して、前記パラフィンスルホン酸の量が０．０２〜０．１％、水溶性染料の量が１〜１０重量％であることを特徴とする請求項１に記載のインクジェット記録用インク。
【発明の詳細な説明】
【０００１】
【発明の属する技術分野】
本発明はインクジェット記録用インク（以下、単にインクともいう）に関するもので、詳しくは、特にインクの長期間使用時の安定性が改良されたインクジェット記録用インクに関するものである。
【０００２】
【従来の技術】
制御されたインクを被記録材に噴射することによって情報を記録するインクジェット記録方法は、記録ヘッドを被記録剤に接触させないので、騒音がなく、高速記録が可能であり、また、普通紙に記録できる等の利点を有している。
【０００３】
この様なインクジェット記録方法に使用するインクとしては、多くの場合、各種の染料または顔料及びこれを溶解または分散する水または水溶性有機溶媒を基本成分とし、必要に応じて各種添加剤が添加されたものが知られ、且つ使用されている。
【０００４】
この様なインクには、
（１）記録ヘッドのノズルにおいて、目詰まりを起こさないこと、
（２）射出特性（飛翔安定性、周波数応答性等）を満足するために、適当な物性値を有していること、
（３）インクと接触する材料を腐食させないこと、
（４）長時間の保存に対して安定であること、
（５）長期間吐出休止後の再吐出が安定に行われること、
等が要求される。
【０００５】
更に、インクが被記録材に印字された場合の諸特性としては、
（６）速乾性であること、
（７）印字品質が良いこと、
（８）記録像としての保存性（耐光性、耐水性等）が良いこと、
等が要求される。
【０００６】
長期間使用を続けると、インクの消費に伴いインク容器内に外気が導入される。このとき、同時に黴や各種の菌が混入してインクを腐敗させる原因となる。
【０００７】
インク中で黴や各種の菌が増殖すると、ノズルの目詰まりやインクの粘度などの物性値を変化させるなどにより、正常に吐出する事ができなくなる。
【０００８】
また、黴や各種の菌が増殖するのを防ぐために様々な防腐剤を添加することが知られている。
【０００９】
しかし、十分な防腐能を持たせるために多量の防腐剤を添加すると、射出特性を満足するための適当な物性値を得られなかったり、特開昭５２−１２００１０や、特開昭５２−１２００９に記載されるように、防腐剤自体が色材と相互作用を起こすなどの問題があった。また、多量の防腐剤を用いると皮膚に付着した際のかぶれの発生など安全性に問題がある場合があった。
【００１０】
これまでに、上記のように、インクジェット記録用インクとして幾多の提案がなされているが、上記の諸条件の全てを十分に満足するものは未だに得られていないのが現状である。
【００１１】
【発明が解決しようとする課題】
本発明はかかる現状に鑑みなされたものであって、本発明の目的は、記録ヘッドのノズルの目詰まり及び異物発生を起こさず、安定に長期間使用できるインクジェット記録用インクを提供することにある。
【００１２】
【課題を解決するための手段】
本発明の上記目的は以下の構成により達成される。
【００１３】
１．水、水溶性染料、高沸点有機溶媒及び炭素数が１４〜２０であり、１個スルホン化したパラフィンスルホン酸を含有することを特徴とするインクジェット記録用インク。
【００１４】
２．インク全重量に対して、前記パラフィンスルホン酸の量が０．０２〜０．１％、水溶性染料の量が１〜１０重量％であることを特徴とする前記１に記載のインクジェット記録用インク。
【００２１】
以下、本発明を詳細に説明する。
【００２２】
本発明のパラフィンスルホン酸とは、パラフィンを少なくとも１個スルホン化した化合物であり、１個スルホン化した化合物が好ましい。パラフィンとはメタン系の炭化水素であり、炭素原子数は１４〜４０の間に分布している。本発明のパラフィンスルホン酸は炭素原子数１４〜４０の何れも使用できるが、好ましくは炭素原子数１４〜２０である。
【００２３】
また、本発明のパラフィンスルホン酸は対イオンとして、アルカリ金属イオン、アルカリ土類金属イオン、金属イオン、遷移金属イオン、有機塩基、４級アミンを有しても構わない。
【００２４】
ここで、対イオンとは、パラフィンスルホン酸を中和するために用いられるアルカリを構成するカチオンを指す。
【００２５】
以下に対イオンの例を挙げるが、本発明ではこれらの対イオンに限定されるものではない。
【００２６】
アルカリ金属イオン：リチウム、ナトリウム、カリウム等の各アルカリ金属イオン、
アルカリ土類金属イオン：ベリリウム、マグネシウム、カルシウム等の各アルカリ土類金属イオン、
金属イオン：亜鉛、アルミニウム等の各金属イオン、
遷移金属イオン：ニッケル、銅原子、コバルト、銀、鉄、チタン等の各遷移金属イオン、
有機塩基：グアニジン類、環状グアニジン類、アミジン類、環状アミジン類、ピペリジン、ピペラジン、エチレンジアミン、Ｎ，Ｎ−ジメチルエチレンジアミン、アセトアミジン、水酸化テトラメチルアンモニウム、水酸化テトラエチルアンモニウム、ジメチルアンモニウム
４級アミン：+Ｎ（Ｍｅ）4、+Ｎ（Ｅｔ）4等が挙げられる。
【００２７】
本発明では、好ましくはアルカリ金属イオン又は有機塩基を対イオンとして有するパラフィンスルホン酸である。更に好ましくは、リチウム、ナトリウム、カリウム等の各アルカリ金属イオン、アミン、ジメチルアミン、グアニジン等の有機塩基を対イオンとして有するパラフィンスルホン酸である。
【００２８】
本発明のインクに使用されるパラフィンスルホン酸の含有量は、対イオンをのぞくパラフィンスルホン酸として、インク全重量に対して０．００５％〜０．５％であるのが好ましく、更に好ましくは０．０２％〜０．１％である。
【００２９】
本発明のチオシアネート基を有する化合物としては、例えば、メチレンジチオシアネート化合物等が挙げられ、好ましくは下記化学式（１）で示される化合物である。
【００３０】
化学式（１）      ＮＣＳ−ＣＨ2−ＳＣＮ
本発明のインクに使用されるジチオシアネート基を有する化合物の含有量は、メチレンジイソシアネートの場合、インク全重量に対して０．００５％〜０．５％であるのが好ましく、更に好ましくは０．０２％〜０．１％である。
【００３１】
本発明のインクジェット記録用インクのうち好ましいのは、水、水溶性染料、高沸点有機溶媒及び上述のパラホフィンスルホン酸もしくはメチレンジチオシアネートを含有するインクジェット記録用インクであるが、該水溶性染料とは、水溶性直接染料、酸性染料、反応性染料、塩基性染料から選ばれるものであって、これらを単独あるいは複数種類を併用しても良い。これらの染料は、所望に応じて適宜選択して使用される溶媒中に溶解して使用する。
【００３２】
以下に代表的染料を挙げるが、本発明はこれらに限定されるものではない。
【００３３】
〈直接染料〉
Ｃ.Ｉ.ダイレクトイエロー：１，４，８，１１，１２，２４，２６，２７，２８，３３，３９，４４，５０，５８，８５，８６，１００，１１０，１４２，１４４；
Ｃ.Ｉ.ダイレクトレッド：１，２，４，９，１１，１３，１７，２０，２３，２４，２８，３１，３３，３７，３９，４４，４７，４８，５１，６２，６３，７５，７９，８０，８１，８３，８９，９０，９４，９５，９９，２２０，２２４，２２７，２４３；
Ｃ.Ｉ.ダイレクトブルー：１，２，６，８，１５，２２，２５，７１，７６，７８，８０，８６，８７，９０，９８，１０６，１０８，１２０，１２３，１６３，１６５，１９２，１９３，１９４，１９５，１９６，１９９，２００，２０１，２０２，２０３，２０７，２３６，２３７；
Ｃ.Ｉ.ダイレクトブラック：２，３，７，１７，１９，２２，３２，３８，５１，５６，６２，７１，７４，７５，７７，１０５，１０８，１１２，１１７，１５４；
〈酸性染料〉
Ｃ.Ｉ.アシッドイエロー：２，３，７，１７，１９，２３，２５，２９，３８，４２，４９，５９，６１，７２，９９；
Ｃ.Ｉ.アシッドオレンジ：５６，６４；
Ｃ.Ｉ.アシッドレッド：１，８，１４，１８，２６，３２，３７，４２，５２，７，７２，７４，８０，８７，１１５，１１９，１３１，１３３，１３４，１４３，１５４，１８６，２４９，２５４，２５６；
Ｃ.Ｉ.アシッドバイオレット：１１，３４，７５；
Ｃ.Ｉ.アシッドブルー：１，７，９，２９，８７，１２６，１３８，１７１，１７５，１８３，２３４，２３６，２４９；
Ｃ.Ｉ.アシッドグリーン：９，１２，１９，２７，４１；
Ｃ.Ｉ.アシッドブラック：１，２，７，２４，２６，４８，５２，５８，６０，９４，１０７，１０９，１１０，１１９，１３１，１５５；
〈反応性染料〉
Ｃ.Ｉ.リアクティブイエロー：１，２，３，１３，１４，１５，１７，３７，４２，７６，９５，１６８，１７５；
Ｃ.Ｉ.リアクティブレッド：２，６，１１，２１，２２，２３，２４，３３，４５，１１１，１１２，１１４，１８０，２１８，２２６，２２８，２３５；
Ｃ.Ｉ.リアクティブブルー：７，１４，１５，１８，１９，２１，２５，３８，０，２３５；
Ｃ.Ｉ.リアクティブオレンジ：５，１２，１３，３５，９５；
Ｃ.Ｉ.リアクティブブラウン：７，１１，３３，３７，４６；
Ｃ.Ｉ.リアクティブグリーン：８，１９；
Ｃ.Ｉ.リアクティブバイオレット：２，４，６，８，２１，２２，２５；
Ｃ.Ｉ.リアクティブブラック：５，８，３１，３９；
〈塩基性染料〉
Ｃ.Ｉ.ベーシックイエロー：１１，１４，２１，３２；
Ｃ.Ｉ.ベーシックレッド：１，２，９，１２，１３；
Ｃ.Ｉ.ベーシックバイオレット：３，７，１４；
Ｃ.Ｉ.ベーシックブルー：３，９，２４，２５；
本発明のインクに好ましく用いることの出来る染料としては、この他にキレート染料及び銀色素漂白法感光材料（例えばチバガイギー製チバクローム）に用いられるアゾ染料を挙げることが出来る。
【００３４】
キレート染料に関しては例えば英国特許１，０７７，４８４号の記載を参考にすることが出来る。
【００３５】
銀色素漂白法感光材料アゾ染料に関しては、例えば英国特許１，０３９，４５８号、同１，００４，９５７号、同１，０７７，６２８号、米国特許２，６１２，４４８号の記載を参考にすることが出来る。
【００３６】
前記水溶性染料の含有量は、インク全重量に対して、１〜１０重量％であるのが好ましい。
【００３７】
本発明のインクに好ましく用いることができる高沸点有機溶媒としては、例えば、炭素数１〜４のアルキルアルコール類（例えばメチルアルコール、エチルアルコール、プロピルアルコール、イソプロピルアルコール、ブチルアルコール、ｓｅｃ−ブチルアルコール、ｔｅｒｔ−ブチルアルコール、イソブチルアルコール等）、アミド類（例えばジメチルホルムアミド、ジメチルアセトアミド等）、ケトンあるいはケトアルコール類（例えばアセトン、ジアセトンアルコール等）、エーテル類（例えばテトラヒドロフラン、ジオキサン等）、ポリアルキレングリコール類（例えばポリエチレングリコール、ポリプロピレングリコール等）、アルキレン基が２〜６個の炭素原子を含むアルキレングリコール類（例えばエチレングリコール、プロピレングリコール、ブチレングリコール、トリエチレングリコール、１，２，６  ヘキサントリオール、チオジグリコール、ヘキシレングリコール、ジエチレングリコール等）、グリセリン、多価アルコールの低級アルキルエーテル類（エチレングリコールメチルエーテル、ジエチレングリコールメチル（またはエチル）エーテル、トリエチレングリコールモノメチル（またはエチル）エーテル等）等が挙げられる。
【００３８】
これらの高沸点有機溶媒の中でも、ジエチレングリコール等の多価アルコール、トリエチレングリコールモノメチル（またはエチル）エーテル等の多価アルコールの低級アルキルエーテルが好ましい。
【００３９】
インク中の上記高沸点有機溶媒の含有量は、インク全重量に対して１０〜７０重量％が好ましい。
【００４０】
本発明のインクに好ましく用いられる顔料とは、水、油などに不溶の白色又は有色の粉体であり、分散染料とは油には可溶であるが、水に不溶または難溶で水中から分散した系から染色に用いられる染料を指す。
【００４１】
本発明のインクに好ましく用いられる顔料および分散染料は、所望に応じて適宜選択される溶媒中に分散して使用される。代表的な顔料および分散染料の具体例を以下に挙げるが、本発明はこれらに限定されるものではない。
【００４２】
本発明に好ましく用いられる分散染料は、
Ｃ．Ｉ．Ｄｉｓｐｅｒｓｅ  Ｙｅｌｌｏｗ：３，４，５，７，９，１３，２４，  ３０，３３，３４，４２，４４，４９，５０，５１，５４，５６，５８，６０，６３，６４，６６，６８，７１，７４，７６，７９，８２，８３，８５，８６，８８，９０，９１，９３，９８，９９，１００，１０４，１１４，１１６，１１８，１１９，１２２，１２４，１２６，１３５，１４０，１４１，１４９，１６０，１６２，１６３，１６４，１６５，１７９，１８０，１８２，１８３，１８６，１９２，１９８，１９９，２０２，２０４，２１０，２１１，２１５，２１６，２１８，２２４；
Ｃ．Ｉ．Ｄｉｓｐｅｒｓｅ  Ｏｒａｎｇｅ：１，３，５，７，１１，１３，１７，２０，２１，２５，２９，３０，３１，３２，３３，３７，３８，４２，４３，４４，４５，４７，４８，４９，５０，５３，５４，５５，５６，５７，５８，５９，６１，６６，７１，７３，７６，７８，８０，８９，９０，９１，９３，９６，９７，１１９，１２７，１３０，１３９，１４２；
Ｃ．Ｉ．Ｄｉｓｐｅｒｓｅ  Ｒｅｄ：１，４，５，７，１１，１２，１３，１５，１７，２７，４３，４４，５０，５２，５３，５４，５５，５６，５８，５９，６０，６５，７２，７３，７４，７５，７６，７８，８１，８２，８６，８８，９０，９１，９２，９３，９６，１０３，１０５，１０６，１０７，１０８，１１０，１１１，１１３，１１７，１１８，１２１，１２２，１２６，１２７，１２８，１３１，１３２，１３４，１３５，１３７，１４３，１４５，１４６，１５１，１５２，１５３，１５４，１５７，１５９，１６４，１６７，１６９，１７７，１７９，１８１，１８３，１８４，１８５，１８８，１８９，１９０，１９１，１９２，２００，２０１，２０２，２０３，２０５，２０６，２０７，２１０，２２１，２２４，２２５，２２７，２２９，２３９，２４０，２５７，２５８，２７７，２７８，２７９，２８１，２８８，２９８，３０２，３０３，３１０，３１１，３１２，３２０，３２４，３２８；
Ｃ．Ｉ．Ｄｉｓｐｅｒｓｅ  Ｖｉｏｌｅｔ：１，４，８，２３，２６，２７，２８，３１，３３，３５，３６，３８，４０，４３，４６，４８，５０，５１，５２，５６，５７，５９，６１，６３，６９，７７；
Ｃ．Ｉ．Ｄｉｓｐｅｒｓｅ  Ｇｒｅｅｎ：９；
Ｃ．Ｉ．Ｄｉｓｐｅｒｓｅ  Ｂｒｏｗｎ：１，２，４，９，１３，１９；
Ｃ．Ｉ．Ｄｉｓｐｅｒｓｅ  Ｂｌｕｅ３，７，９，１４，１６，１９，２０，２６，２７，３５，４３，４４，５４，５５，５６，５８，６０，６２，６４，７１，７２，７３，７５，７９，８１，８２，８３，８７，９１，９３，９４，９５，９６，１０２，１０６，１０８，１１２，１１３，１１５，１１８，１２０，１２２，１２５，１２８，１３０，１３９，１４１，１４２，１４３，１４６，１４８，１４９，１５３，１５４，１５８，１６５，１６７，１７１，１７３，１７４，１７６，１８１，１８３，１８５，１８６，１８７，１８９，１９７，１９８，２００，２０１，２０５，２０７，２１１，２１４，２２４，２２５，２５７，２５９，２６７，２６８，２７０，２８４，２８５，２８７，２８８，２９１，２９３，２９５，２９７，３０１，３１５，３３０，３３３；
Ｃ．Ｉ．Ｄｉｓｐｅｒｓｅ  Ｂｌａｃｋ：１，３，１０，２４；
等が挙げられる。
【００４３】
また、本発明に好ましく用いられる顔料としては、
カーボンブラック顔料（Ｃ．Ｉ．Ｐｉｇｍｅｎｔ  Ｂｌａｃｋ  ７）；
Ｃ．Ｉ．Ｐｉｇｍｅｎｔ  Ｙｅｌｌｏｗ：１２，１３，１４，１６，１７，７３，７４，７５，８３，１０８，１０９，１１０，１８０，１８２；
Ｃ．Ｉ．Ｐｉｇｍｅｎｔ  Ｒｅｄ：５，７，１２，１１２，１２３，１６８，１８４，２０２；
Ｃ．Ｉ．Ｐｉｇｍｅｎｔ  Ｂｌｕｅ：１，２，３，１５：３，１６，２２，６０；
Ｃ．Ｉ．Ｖａｔ  Ｂｌｕｅ４，６０；
等が挙げられる。
【００４４】
以上の他に好ましく用いられるレッド、グリーン、ブルー、中間色の顔料としては、
Ｃ．Ｉ．Ｐｉｇｍｅｎｔ  Ｒｅｄ２０９，２２４，１７７，１９４；
Ｃ．Ｉ．Ｐｉｇｍｅｎｔ  Ｏｒａｎｇｅ４３；
Ｃ．Ｉ．Ｖａｔ  Ｖｉｏｌｅｔ３；
Ｃ．Ｉ．Ｐｉｇｍｅｎｔ  Ｖｉｏｌｅｔ１９，２３，３７；
Ｃ．Ｉ．Ｐｉｇｍｅｎｔ  Ｇｒｅｅｎ３６，７；
Ｃ．Ｉ．Ｐｉｇｍｅｎｔ  Ｂｌｕｅ１５：６；
等の顔料が挙げられる。
【００４５】
本発明のインクに好ましく用いられる顔料及び分散染料は、分散剤及びその他所望する諸目的に応じて必要な添加物と共に混合して分散機により分散して用いる。
【００４６】
染料及び顔料の分散機としては従来公知のボールミル、サンドミル、ラインミル、高圧ホモジナイザー等が使用できる。
【００４７】
分散剤として界面活性剤が用いられる。該界面活性剤としては陽イオン性、陰イオン性、両性、非イオン性のいずれの界面活性剤も用いることができる。
【００４８】
イオン性界面活性剤としては、例えば脂肪族アミン塩、脂肪族４級アンモニウム塩、ベンザルコニウム塩、塩化ベンゼトニウム、ピリジニウム塩、イミダゾリニウム塩、などが挙げられる。
【００４９】
陰イオン性界面活性剤としては、例えば脂肪酸石鹸、Ｎ−アシル−Ｎ−メチルグリシン塩、Ｎ−アシル−Ｎ−メチル−β−アラニン塩、Ｎ−アシルグルタミン酸塩、アシル化ペプチド、アルキルスルホン酸塩、アルキルベンゼンスルホン酸塩、アルキルナフタレンスルホン酸塩、ジアルキルスルホコハク酸エステル塩、アルキルスルホ酢酸塩、α−オレフィンスルホン酸塩、Ｎ−アシルメチルタウリン、硫酸化油、高級アルコール硫酸エステル塩、第２級高級アルコール硫酸エステル塩、アルキルエーテル硫酸塩、第２級高級アルコールエトキシサルフェート、ポリオキシエチレンアルキルフェニルエーテル硫酸塩、モノグリサルフェート、脂肪酸アルキロールアミド硫酸エステル塩、アルキルエーテルリン酸エステル塩、アルキルリン酸エステル塩、リグニンスルホン酸塩、ナフタレンスルホン酸塩のホルマリン縮合物、アルキルナフタレンスルホン酸塩のホルマリン縮合物、特殊芳香族スルホン酸塩のホルマリン縮合物（例えばデモールＣ）クレオソート油スルホン酸塩のホルマリン縮合物等が挙げられる。
【００５０】
両性界面活性剤としては、例えば、カルボキシベタイン型、スルホベタイン型、アミノカルボン酸塩、イミダゾリニウムベタイン等が挙げられる。
【００５１】
非イオン活性剤としては、例えば、ポリオキシエチレン２級アルコールエーテル、ポリオキシエチレンアルキルフェニルエーテル、ポリオキシエチレンステロールエーテル、ポリオキシエチレンラノリン誘導体ポリオキシエチレンポリオキシプロピレンアルキルエーテル、ポリオキシエチレングリセリン脂肪酸エステル、ポリオキシエチレンヒマシ油、硬化ヒマシ油、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール、アセチレンアルコール、エチレンオキサイドとプロピレンオキサイドとのブロック共重合物、アルキルフェノールのエチレンオキサイド付加物等が挙げられる。
【００５２】
好ましくは、陰イオン活性剤であるリグニンスルホン酸塩類、ナフタレンスルホン酸塩のホルマリン縮合物、アルキルナフタレンスルホン酸塩のホルマリン縮合物、特殊芳香族スルホン酸塩のホルマリン縮合物（例えばデモールＣ）クレオソート油スルホン酸塩のホルマリン縮合物、非イオン活性剤であるエチレンオキサイドとプロピレンオキサイドとのブロック共重合物、アルキルフェノールのエチレンオキサイド付加物が挙げられる。
【００５３】
本発明のインクには吐出後のインク液滴のメディア中への浸透を加速するために界面活性剤を使用することができる。用いることができる界面活性剤としては、インクに対して保存安定性等の悪影響を及ぼさないものであれば限られるものではなく、上記の分散剤として使用する界面活性剤と同様のものが用いられる。
【００５４】
また、本発明においては電気伝導度調節剤を用いることもでき、電気伝導度調節剤としては、例えば塩化カリウム、塩化アンモニウム、硫酸ナトリウム、硝酸ナトリウム、塩化ナトリウムなどの無機塩や、トリエタノールアミンなどの水溶性アミンがある。
【００５５】
本発明のインクにおいては、吐出安定性、プリントヘッドやインクカートリッジ適合性、保存安定性、画像保存性、その他の諸性能向上の目的に応じて、さらに粘度調整剤、比抵抗調整剤、皮膜形成剤、紫外線吸収剤、酸化防止剤、退色防止剤、防錆剤等を添加することもできる。
【００５６】
本発明のインクはいかなるインクジェット記録方式に対しても用いることができる。例えば、コンティニュアス方式及びオンデマンド方式があげられるが、どちらの方式においても使用することができる。オンデマンド型方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット型等）、静電吸引方式（例えば、電界制御型、スリットジェット型等）及び放電方式（例えば、スパークジェット型等）などを具体的な例として挙げることができる。
【００５７】
【実施例】
実施例により本発明を更に具体的に説明するが、本発明の実施態様はこれらに限定されるものではない。
【００５８】
実施例１
以下に示す構成でインクジェット記録用インクＮｏ．１−１〜Ｎｏ．１−３３を作製した。
【００５９】
0003882333.tif 000002
上記の組成を有する各インクジェット記録用インクを作製した。
【００６０】
イオン交換水を室内にて開放形で２４時間放置し、空中落下菌を採取し、空中落下菌採取水とした。インクジェット記録用インクを作製後、インキュベーターを用いて３８℃の恒温状態にすると共に撹拌装置にて、１週間連続撹拌後、目視にて異物の発生具合を確認した。また、異物の発生が認められなかったインク組成物について、ピエゾ方式インクジェット試験機にて吐出させ、記録ヘッドのノズルの目詰まりの発生を目視で観察し評価した。吐出ノズル数：６４、ノズル径：４０μ、吐出周波数：７ｋＨｚで、ピエゾ方式インクジェット試験機にて１億ドット吐出させた。
【００６１】
目視にて記録ヘッドの異物の発生具合を観察し評価した。
【００６２】
【表１】
0003882333.tif 000003
【００６３】
本発明のインクは比較例のインクに比べて、記録ヘッドの異物の発生や記録ヘッドのノズルの目詰まりの発生が少ないことがわかる。
【００６４】
表中、化合物１〜４は以下の染料である。
【００６５】
化合物１：Ｂａｓａｃｉｄ  Ｂｌａｃｋ  Ｘ３４  （ＢＡＳＦ）
化合物２：Ｓｐｅｃｉａｌ  Ｂｌａｃｋ  ＳＰ  ｌｉｑｕｉｄ  （Ｂａｙｅｒ）
化合物３：Ｂａｙｓｃｒｉｐｔ  Ｂｌａｃｋ  ＳＰ  ｌｉｑｕｉｄ  （Ｂａｙｅｒ）
化合物４：Ｂａｙｓｃｒｉｐｔ  Ｂｌａｃｋ  Ｎ  ｌｉｑｕｉｄ  （Ｂａｙｅｒ）
実施例２
以下に示す構成でインクジェット記録用インクＮｏ．２−１〜Ｎｏ．２−１３を作製した。
【００６６】
0003882333.tif 000004
上記、混合物に直径０．５ｍｍのセラミックビーズを使用して、アイメックス社（旧名、五十嵐製作所）製サンドグラインダーで回転数２５００ｒｐｍで５時間分散した。
【００６７】
この分散液を、染料濃度が５重量％に成る様に、水／ジエチレングリコール＝１：４で希釈する。
【００６８】
上記の組成を有する各インクジェット記録用インクを作製し、実施例１と同様に目視にて記録ヘッドの異物の発生具合を観察し評価した。
【００６９】
３０ｍｍＨｇ減圧下で、一時間、脱気した後、ピエゾ方式インクジェット試験機にて吐出させ、記録ヘッドのノズルの目詰まりの発生を実施例１同様に目視で観察し評価した。吐出ノズル数：６４、ノズル径：４０μ、吐出周波数：７ｋＨｚで、ピエゾ方式インクジェット試験機にて１億ドット吐出させた。
【００７０】
【表２】
0003882333.tif 000005
【００７１】
本発明のインクは比較例のインクに比べて、記録ヘッドの異物の発生や記録ヘッドのノズルの目詰まりの発生が少ないことがわかる。
【００７２】
実施例３
以下に示す構成でインクジェット記録用インクＮｏ．３−１〜Ｎｏ．３−１３を作製した。
【００７３】
0003882333.tif 000006
上記、混合物に直径０．５ｍｍのセラミックビーズを使用して、アイメックス社（旧名、五十嵐製作所）製サンドグラインダーで回転数２５００ｒｐｍで５時間分散した。
【００７４】
この分散液を、染料濃度が５重量％に成る様に、水／ジエチレングリコール＝１：４で希釈する。
【００７５】
上記の組成を有する各インク組成物を作製し、実施例１と同様に目視にて記録ヘッドの異物の発生具合を観察し評価した。
【００７６】
３０ｍｍＨｇ減圧下で、一時間、脱気した後、ピエゾ方式インクジェット試験機にて吐出させ、実施例１と同様にして、記録ヘッドのノズルの目詰まりの発生を観察し評価した。吐出ノズル数：６４、ノズル径：４０μ、吐出周波数＝７ｋＨｚで、ピエゾ方式インクジェット試験機にて１億ドット吐出させた。
【００７７】
【表３】
0003882333.tif 000007
【００７８】
本発明のインクは比較例のインクに比べて、記録ヘッドの異物の発生や記録ヘッドのノズルの目詰まりの発生が少ないことがわかる。
【００７９】
【発明の効果】
本発明によるインクジェット記録用インクは、記録ヘッドのノズルの目詰まり及び異物発生を起こさず、安定に長期間使用でき優れた効果を有する。